(57)【特許請求の範囲】
【請求項１】
外部から入力される画像信号に応じた光像を投影部により形成して投影する投影装置であって、
上記外部から入力される画像信号に基づき、個々に本画像に対する縮小画像を含んだ一連の複数の画像データからなる画像ファイルを複数記憶する記憶手段と、
この記憶手段に記憶した複数の上記画像ファイルの一覧出力を指示する第１の指示手段と、
この第１の指示手段での指示に応じ、縦軸及び横軸の一方を一連の上記画像ファイル中における経過行程、他方を個々の上記画像ファイルを表す軸とした２次元座標平面上に、上記記憶手段に記憶した複数の上記画像ファイル中の複数の上記縮小画像を展開した一覧画像を生成する画像生成手段と、
この画像生成手段で生成した上記一覧画像の少なくとも一部を上記投影部により投影させる投影制御手段と
を具備し、
上記画像生成手段は、上記画像ファイル中における経過行程を所定数分割し、分割された各上記経過行程に含まれる画像データのうちそれぞれ先頭の画像データを最前面として、当該一の画像データが分割された各上記経過行程の他の画像データに重なる複数の重畳画像を生成し、この重畳画像を展開して上記一覧画像とすることを特徴とする投影装置。
【請求項２】
上記画像生成手段は、前記一の画像データのみが視認できるように上記重畳画像を生成することを特徴とする請求項１に記載の投影装置。
【請求項３】
上記一の画像データは、分割された各上記経過行程の画像データのうち先頭の画像データであることを特徴とする請求項１又は２に記載の投影装置。
【請求項４】
上記画像生成手段は、上記画像ファイルを構成する上記画像データ数に基づいて、上記画像ファイル中における上記縮小画像を上記重畳画像にまとめることによって省略する省略数を決めることを特徴とする請求項１乃至３の何れかに記載の投影装置。
【請求項５】
上記画像生成手段は一覧画像中の全縮小画像の大きさを統一することを特徴とする請求項１乃至４の何れかに記載の投影装置。
【請求項６】
個々に本画像に対する縮小画像を含んだ一連の複数の画像データからなる画像ファイルを複数記憶する記憶手段と、
この記憶手段に記憶した複数の上記画像ファイルの一覧出力を指示する指示手段と、この指示手段での指示に応じ、縦軸及び横軸の一方を一連の上記画像ファイル中における経過行程、他方を個々の上記画像ファイルを表す軸とした２次元座標平面上に、上記記憶手段に記憶した複数の上記画像ファイル中の複数の上記縮小画像を展開した一覧画像を生成する画像生成手段と、
この画像生成手段で生成した一覧画像の少なくとも一部を表示する表示手段と
を具備し、
上記画像生成手段は、上記画像ファイル中における経過行程を所定数分割し、分割された各上記経過行程に含まれる画像データのうちそれぞれ先頭の画像データを最前面として、当該一の画像データが分割された各上記経過行程の他の画像データに重なる複数の重畳画像を生成し、この重畳画像を展開して上記一覧画像とすることを特徴とする表示装置。
【請求項７】
外部から入力される画像信号に応じた光像を投影部により形成して投影する投影装置の画像投影方法であって、
上記外部から入力される画像信号に基づき、個々に本画像に対する縮小画像を含んだ一連の複数の画像データからなる画像ファイルを複数記憶する記憶工程と、
この記憶工程で記憶した複数の上記画像ファイルの一覧出力を指示する第１の指示工程と、
この第１の指示工程での指示に応じ、縦軸及び横軸の一方を一連の上記画像ファイル中における経過行程、他方を個々の上記画像ファイルを表す軸とした２次元座標平面上に、上記記憶手段に記憶した複数の上記画像ファイル中の複数の縮小画像を展開した一覧画像を生成する画像生成工程と、
この画像生成工程で生成した一覧画像の少なくとも一部を上記投影部により投影させる投影制御工程と
を有し、
上記画像生成工程は、上記画像ファイル中における経過行程を所定数分割し、分割された各上記経過行程に含まれる画像データのうちそれぞれ先頭の画像データを最前面として、当該一の画像データが分割された各上記経過行程の他の画像データに重なる複数の重畳画像を生成し、この重畳画像を展開して上記一覧画像とすることを特徴とする画像投影方法。
【請求項８】
外部から入力される画像信号に応じた光像を投影部により形成して投影する投影装置に内蔵されたコンピュータが実行するプログラムであって、
上記外部から入力される画像信号に基づき、個々に本画像に対する縮小画像を含んだ一連の複数の画像データからなる画像ファイルを複数記憶する記憶ステップと、
この記憶ステップで記憶した複数の上記画像ファイルの一覧出力を指示する第１の指示ステップと、
この第１の指示ステップでの指示に応じ、縦軸及び横軸の一方を一連の上記画像ファイル中における経過行程、他方を個々の上記画像ファイルを表す軸とした２次元座標平面上に、上記記憶手段に記憶した複数の上記画像ファイル中の複数の上記縮小画像を展開した一覧画像を生成する画像生成ステップと、
この画像生成ステップで生成した一覧画像の少なくとも一部を上記投影部により投影させる投影制御ステップと
をコンピュータに実行させ、
上記画像生成ステップは、上記画像ファイル中における経過行程を所定数分割し、分割された各上記経過行程に含まれる画像データのうちそれぞれ先頭の画像データを最前面として、当該一の画像データが分割された各上記経過行程の他の画像データに重なる複数の重畳画像を生成し、この重畳画像を展開して上記一覧画像を生成することを特徴とするプログラム。
【発明の詳細な説明】
【技術分野】
【０００１】
本発明は、パーソナルコンピュータ等の外部接続された機器から送られてくる画像信号により投影動作を行なう投影装置、画像投影方法及びプログラムに関する。
【背景技術】
【０００２】
従来、外部接続されたパーソナルコンピュータから送られてくる発表資料を投影する一方でその発表資料を記憶することができ、発表の終了後にパーソナルコンピュータとの接続が解除された状態でも、発表資料の内容を確認することができるようにしたプロジェクタの技術が考えられていた。（例えば、特許文献１）
この特許文献１では、投影手段によりスクリーンに複数のサムネイル画像を並べて投影すると共に、複数のサムネイル画像の１つを利用者に選択させる選択入力手段を有している。
【特許文献１】特開２００５−２０２０７９号公報
【発明の開示】
【発明が解決しようとする課題】
【０００３】
上記特許文献１では、サムネイル画像を発表資料内での順序に従って順次並べて投影するものとなっている。そのため、所望の画像を選択するためには、列挙されている画像を１つずつ順次確認する必要があり、特に画像数が多い際などでは、時として所望する画像に行き着くまでに時間を要することがあった。
【０００４】
本発明は上記のような実情に鑑みてなされたもので、その目的とするところは、一度投影あるいは表示した画像を一連の画像中からより迅速にサーチすることが可能な投影装置、表示装置、画像投影方法及びプログラムを提供することにある。
【課題を解決するための手段】
【０００５】
本発明は、外部から入力される画像信号に応じた光像を投影部により形成して投影する投影装置であって、上記外部から入力される画像信号に基づき、個々に本画像に対する縮小画像を含んだ一連の複数の画像データからなる画像ファイルを複数記憶する記憶手段と、この記憶手段に記憶した複数の上記画像ファイルの一覧出力を指示する第１の指示手段と、この第１の指示手段での指示に応じ、縦軸及び横軸の一方を一連の上記画像ファイル中における経過行程、他方を個々の上記画像ファイルを表す軸とした２次元座標平面上に、上記記憶手段に記憶した複数の上記画像ファイル中の複数の上記縮小画像を展開した一覧画像を生成する画像生成手段と、この画像生成手段で生成した上記一覧画像の少なくとも一部を上記投影部により投影させる投影制御手段とを具備し、上記画像生成手段は、上記画像ファイル中における経過行程を所定数分割し、分割された各上記経過行程に含まれる画像データのうちそれぞれ先頭の画像データを最前面として、当該一の画像データが分割された各上記経過行程の他の画像データに重なる複数の重畳画像を生成し、この重畳画像を展開して上記一覧画像とすることを特徴とする。
【発明の効果】
【００１３】
本発明によれば、それぞれ構成画像数が異なる複数の画像ファイルに対し、一連の画像ファイル中での経過行程を揃えた一覧画像を生成して投影または表示するものとしたので、その画像ファイル中のおおよその経過行程を把握しておくことで一度投影または表示された画像を一連の画像中からより迅速にサーチすることが可能となる。
【発明を実施するための最良の形態】
【００１４】
（第１の実施の形態）  
以下本発明をプロジェクタ装置に適用した場合の第１の実施の形態について図面を参照して説明する。
【００１５】
図１は、同実施の形態に係るプロジェクタ装置１０の電子回路の機能構成を示す。同図で、入出力コネクタ部１１より入力された各種規格の画像信号が、入出力インタフェース（Ｉ／Ｆ）１２、システムバスＳＢを介して画像変換部１３で所定のフォーマットの画像信号に統一された後に、投影エンコーダ１４へ送られる。
【００１６】
投影エンコーダ１４は、送られてきた画像信号をビデオＲＡＭ１５に展開して記憶させた上でこのビデオＲＡＭ１５の記憶内容からビデオ信号を生成して投影駆動部１６に出力する。
【００１７】
この投影駆動部１６は、送られてきた画像信号に対応して適宜フレームレート、例えば６０［フレーム／秒］と色成分の分割数、及び表示階調数を乗算した、より高速な時分割駆動で空間的光変調素子（ＳＯＭ）である例えばマイクロミラー素子１７を表示駆動する。
【００１８】
このマイクロミラー素子１７に対して、リフレクタ１８内に配置された、例えば超高圧水銀灯を用いた光源ランプ１９が出射する高輝度の白色光を、カラーホイール２０を介して適宜原色に着色し、インテグレータ２１で輝度分布が均一な光束とした後にミラー２２で全反射して照射することで、その反射光で光像が形成され、投影レンズ２３を介してここでは図示しないスクリーンに投影表示される。
【００１９】
この投影レンズ２３は、マイクロミラー素子１７で形成された光像を拡大してスクリーン等の対象に投影するものであり、合焦位置及びズーム位置（投影画角）を任意に可変できる。
【００２０】
しかるに、光源ランプ１９の点灯駆動と、カラーホイール２０を回転駆動するモータ（Ｍ）２４はいずれも投影光処理部２５からの供給電圧値に基づいて動作する。
【００２１】
上記各回路の動作すべてを制御部２６が制御する。この制御部２６は、ＣＰＵ、ワークメモリ等により構成され、不揮発性メモリでなるプログラムメモリ２７に固定記憶された動作プログラムや各種定型データ等を用いて制御動作を実行する。
【００２２】
この制御部２６にはさらに、上記システムバスＳＢを介して画像記憶部２８、測距処理部２９及び音声処理部３０が接続される。
【００２３】
画像記憶部２８は、上記入出力コネクタ部１１から入力され、画像変換部１３で変換されて投影レンズ２３より順次投影される画像データを自動的に記憶する他、後述する一覧画像のデータも記憶し、必要により上記投影エンコーダ１４へ読出す。
【００２４】
測距処理部２９は、このプロジェクタ装置１０の前面に上記投影レンズ２３と近接配置された２対の位相差センサからなる測距センサ３１を制御駆動し、それらの検出出力から任意の点位置までの距離を算出するもので、算出された距離値データを上記制御部２６へ送る。
【００２５】
音声処理部３０は、ＰＣＭ音源等の音源回路を備え、投影動作時に与えられる音声データをアナログ化し、プロジェクタ装置１０の例えば筐体上面に設けられるスピーカ３２を駆動して拡声放音させ、あるいは必要によりビープ音等を発生させる。
【００２６】
なお、制御部２６に対して、キースイッチ部３３及びＩｒ受光部３４から直接ユーザのキー操作に応じた操作信号が入力される。  
キースイッチ部３３は、例えばプロジェクタ装置１０の筐体上面に設けられ、電源キー、ＡＦＫ（Ａｕｔｏｍａｔｉｃ  Ｆｏｃｕｓ／ａｕｔｏｍａｔｉｃ  Ｋｅｙ−ｓｔｏｎｅ  ｃｏｒｒｅｃｔｉｏｎ：自動合焦／自動台形補正）キー、ズームキー、入力選択キー、一部でページ切換えの指示キーを兼ねたカーソル（「↑」「↓」「←」「→」）キー、「Ｅｎｔｅｒ」キー、記憶している全画像データの一覧投影を指示する「一覧画像」キー等からなるもので、同様のキーがこのプロジェクタ装置１０の図示しないリモートコントローラにも配設されるものとする。
【００２７】
Ｉｒ受光部３４は、例えばこのプロジェクタ装置１０の筐体前面及び背面にそれぞれ形成されるＩｒ（赤外線）受光部を含み、図示しないリモートコントローラからの赤外光変調信号を復調してコード信号化し、制御部２６に送出する。
【００２８】
次に上記実施の形態の動作について説明する。  
なお、このプロジェクタ装置１０の画像記憶部２８には、それ以前に入出力コネクタ部１１に図示しないパーソナルコンピュータが接続され、そのパーソナルコンピュータとこのプロジェクタ装置１０とで複数のプレゼンテーションが実行されることで、予め複数の画像データが連続した一連の画像ファイルが複数記憶されているものとする。その場合、個々の画像ファイルを構成する画像データの数は、その画像データ毎に異なる。
【００２９】
図２は、プログラムメモリ２７に記憶される動作プログラムに基づき、制御部２６が実行するもので、キースイッチ部３３、またはＩｒ受光部３４を介してこのプロジェクタ装置１０のリモートコントローラで、記憶している全画像データの一覧投影を指示する「一覧画像」キーが操作された場合の処理内容を示す。
【００３０】
その動作当初には、制御部２６が画像記憶部２８に記憶されている全画像ファイルをサーチする（ステップＳ０１）。そのサーチの結果、プログラムメモリ２７内に少なくとも１つの画像ファイルが記憶されているか否かを判断する（ステップＳ０２）。
【００３１】
ここで、画像ファイルが１つも記憶されていなかった場合、制御部２６は一覧画像を表示することができないものとして、例えば  
「ファイルがありません」  
のような文字列からなるガイドメッセージの画像データを作成し、投影エンコーダ１４を介してビデオＲＡＭ１５に保持させた上でマイクロミラー素子１７、投影レンズ２３を介して投影させた上で（ステップＳ０３）、一旦この図２の処理を終了し、以後その他の投影状態に移行するためのキー操作がなされるのを待機する。
【００３２】
また、上記ステップＳ０２で少なくとも１つの画像ファイルがあると判断した場合には、次いで画像記憶部２８から全画像ファイルの各画像データから所定サイズの縮小画像であるサムネイルを作成する（ステップＳ０４）。
【００３３】
そして、作成した全ての画像データのサムネイルを用いて、各画像ファイル毎にそのファイルを構成する画像データの数に応じて間隔を調整した一覧画像を作成し、投影エンコーダ１４を介してビデオＲＡＭ１５に展開して記憶させる（ステップＳ０５）。
【００３４】
図３は、このとき制御部２６が作成する一覧画像の内容を例示するものである。  
ここでは、画像最上段に一連の画像ファイルの開始「ＳＴＡＲＴ」から終了「ＥＮＤ」までとして各ポイント「１／４」「１／２」「３／４」を示すスケールを配することで、画像ファイル中における経過行程を表しており、各画像データはその画像ファイルを構成する画像データの数によって適宜間隔を調整してすべてが同一のサイズで横一列に配列される。
【００３５】
同図では、「2005/01/06新製品開発会議」なるタイトル名の１番目の画像ファイルが最上段に位置し、且つ他の画像ファイルと比して最も構成画像データ数が多いものとして画像サイズが選定された上で各画像データが整列配置されている。
【００３６】
この画像サイズに合わせて、２番目以降の各画像ファイルでは、一連の画像データ中で先頭に位置するものを上記開始「ＳＴＡＲＴ」位置とし、末尾に位置するものを上記終了「ＥＮＤ」位置とするように、図中に矢印Ａ，Ｂで示す如く適宜間隔が均等となるように調整されて一覧画像が構成される。
【００３７】
制御部２６は、このように作成された一覧画像の画像データをビデオＲＡＭ１５に記憶させた上で、その一部、当初は図中に破線の矩形αで示すように先頭部分を選択して読出させ、合わせてその領域内の先頭に位置するサムネイルの周囲が仮の選択状態を示すものとして、例えば赤色のフレームとなるように画像データを加工し（ステップＳ０６）、これを投影エンコーダ１４により投影駆動部１６を介してマイクロミラー素子１７で表示駆動させることで、投影レンズ２３により当該一覧画像を部分的に投影表示する（ステップＳ０７）。
【００３８】
このとき、投影される内容としては、選択された一覧画像の一部の領域が、特に１つのサムネイルを仮に選択した状態で投影された状態となる。  
こうして一覧画像中の一部が投影されている状態で、投影している画像中で仮に選択されているサムネイルが選択されたか否かを、キースイッチ部３３またはこのプロジェクタ装置１０のリモートコントローラの「Ｅｎｔｅｒ」キーが操作されたか否かにより判断する（ステップＳ０８）。
【００３９】
サムネイルが選択されない場合には、さらに仮に選択しているサムネイルまたは投影している所定範囲の移動が指示されたか否かを、キースイッチ部３３またはこのプロジェクタ装置１０のリモートコントローラのカーソル（「↑」「↓」「←」「→」）キーが操作されたか否かにより判断する（ステップＳ０９）。
【００４０】
この場合、投影している範囲内でカーソルキーが指示された際、指示された当該方向にまだ他のサムネイルが表示されていれば、範囲を変えることなく仮に選択するサムネイルを移動するのみに止める一方で、すでに投影している範囲内の端部に位置するサムネイルが仮に選択されている状態で、さらにその投影されている範囲外のサムネイルを仮に選択するようにカーソルキーが操作された場合には、表示している範囲自体を移動（スクロール）するものと判断する。
【００４１】
しかして、このステップＳ０９で移動のためにキー操作がなされなかったと判断した場合には、再度上記ステップＳ０７からの処理に戻る。
【００４２】
このように、ステップＳ０７〜Ｓ０９を繰返し実行し、一覧画像中の一部を投影しながら、仮に選択されているサムネイルが選択されるか否か、移動が指示されるか否かを判断することで、これらのキー操作があるのを待機する。
【００４３】
しかして、移動を指示するキー操作がなされた場合、上記ステップＳ０９でこれを判断し、操作されたカーソルキーの方向と、上述したようにその時点で仮に選択しているサムネイルの投影領域内での位置とに対応して少なくともサムネイルを、必要により投影する領域も合わせて移動するべく選択設定する（ステップＳ１０）。
【００４４】
その後、上記ステップＳ０７からの処理に戻り、移動指示によりあらたに選択設定した領域及びサムネイルに応じた一覧画像の一部をビデオＲＡＭ１５から読出して投影を行ないながら、同様に仮に選択されているサムネイルが選択されるか、移動が指示されるのを待機する。
【００４５】
図４は、上記移動指示を繰返し実行することで、上記図３の一覧画像中、当初の矩形範囲αからβに移動させた場合の、実際のスクリーンＳＣへの投影画面を例示するものである。同図に示すように、仮の選択状態を示すフレームＦＲにより画面中の１つのサムネイルが区分表示される。
【００４６】
しかして、上記図４でも示したように仮に選択されているサムネイルを選択するキー操作がなされると、上記ステップＳ０８でこれを判断し、その選択されたサムネイルに該当する本体の画像データを画像記憶部２８から読出し、投影エンコーダ１４を介して上記一覧画像に代えてビデオＲＡＭ１５に展開して記憶させることで、選択されたサムネイルに対応する画像データのみを画面全面にわたって当該画像を投影し（ステップＳ１１）、以上で一旦この図２の処理を終了すると共に、通常の投影動作に移行する。
【００４７】
この投影動作においては、上記サムネイルが選択された画像データを含む一連の画像ファイルを同時に選択したものとして、左右（「←」「→」）各方向に限定したカーソルキー操作により、その画像ファイル内の他の画像データへの切換えのみを受付けるものとしてもよい。
【００４８】
このように、上記実施の形態では、横軸を一連の画像ファイル中における開始から終了に至る経過行程、縦軸を例えば日時の順序で配列した個々の画像ファイルとした２次元座標平面上に、複数の画像ファイル中の複数の縮小画像であるサムネイルを展開した一覧画像を生成して投影させるものとした。
【００４９】
これにより、それぞれ構成する画像データの数が異なる複数の画像ファイルに対し、一連の画像ファイル中での経過行程を揃えた状態での一覧画像を生成して投影するものとしたので、例えば画像ファイルの「中頃」で見た覚えのある画像データを一覧画像中から容易に検索することができるなど、その画像ファイル中のおおよその経過行程を把握しておくことで一度投影した画像を一連の画像中からより迅速にサーチすることが可能となる。
【００５０】
なお、上記実施の形態では、横軸を一連の画像ファイル中における経過行程、縦軸を個々の画像ファイルとした２次元座標平面上に一覧画像を生成するものとして説明したが、本発明はこれに限るものではなく、縦軸と横軸の関係を反転させるものとしてもよい。
【００５１】
また、上記実施の形態では、一覧画像を構成する縮小画像としてのサムネイルの大きさを統一し、各画像ファイルを構成する画像データの数により各縮小画像の間隔を調整するものとした。
【００５２】
これにより、サムネイルの作成とレイアウトが容易となるので、迅速に一覧画像を作成することかできる上、作成された一覧画像全体が見易いものとなる。
【００５３】
さらに、上記図３に示した一覧画像に代えて、図５に示すように各画像ファイルを構成する画像データの数により、縮小画像であるサムネイルの画像サイズを調整することで、各画像ファイルともサムネイルの隙間が一様でちょうど１行に収まるような一覧画像を作成するものとしてもよい。
【００５４】
この場合、画像ファイルを構成する画像データの数が少ないほどサムネイルの画像サイズが大きく、反対に画像データの数が多いほどサムネイルの画像サイズが小さくなるもので、このような一覧画像を作成することにより、一覧画像中に無駄な隙間を生じることなく、一覧画像の面積を有効に活用することができる。
【００５５】
また、上記図３、図５に示した一覧画像に代えて、図６に示すように縮小画像であるサムネイルの画像サイズを一律に定めた上で、各画像ファイルを構成する画像データの数によりサムネイルの省略数を調整するものとしてもよい。
【００５６】
すなわち、図６では各画像ファイルの経過行程を例えば４分割して、各工程中の先頭に位置する画像データのみを視認でき、分割した各経過行程に２枚目以降、他の画像データがある場合については、あたかも紙面が複数枚重なっているような画像とすることで画像データ数のみを確認できるものとして、内容はそれぞれ省略するものとしている。
【００５７】
このような一覧画像とすることで、結果的に投影する画像データの数を選択し、選択した画像データに関しては比較的大きな画像サイズでその内容を見ることができるため、多数の画像が一覧表示される場合であっても、選択された画像に関してはその内容をある程度細部まで確認し易くなる。
【００５８】
さらに、上記図３、図５、図６に示した一覧画像に代えて、図７に示すように縮小画像であるサムネイルの画像サイズを一律に定めた上で、各画像ファイルを構成する画像データの数によりサムネイルの並列段数を調整し、１つの画像ファイルを必要により複数行に渡って投影するものとしてもよい。
【００５９】
すなわち、図７では各画像ファイルの経過行程を例えば５列であるものとしている。そのため、例えば一番上に位置する「2006/01/10○○会議」なるタイトル名の画像ファイルでは、１５枚分の画像データから構成されているために、３枚分ずつ画像データを縦に並列配置することで（３段（行）×５列）、１５枚分の画像データを経過行程に対応した形で一覧配置している。
【００６０】
このような一覧画像とすることで、一度に視認できる画像ファイル数は減少してしまうものの、１行に投影する画像データの数を抑制し、各画像ファイルを構成する画像データに関してすべて比較的大きな画像サイズで内容を見ることができるため、多数の画像が一覧表示される場合であってもその内容をある程度細部まで確認し易くなる。
【００６１】
なお、一覧画像を生成するに当たっては、上記図３、図５〜図７に示した以外にもその配置条件を考えることができる。
【００６２】
（第２の実施の形態）  
以下本発明をデジタルカメラに適用した場合の第２の実施の形態についても図面を参照して簡単に説明する。  
図８は、同実施の形態に係るデジタルカメラ５０全体の電子回路の概念構成を示すものである。  
図中、撮影モードでのモニタリング状態においては、モータ（Ｍ）５１の駆動により撮影レンズ光学系５２中の一部のレンズ、具体的にはズームレンズ及びフォーカスレンズの位置が適宜移動される。この撮影レンズ光学系５２の撮影光軸後方の結像位置に、図示しないメカニカルシャッタを介して、固体撮像素子であるＣＣＤ５３が配置される。
【００６３】
ＣＣＤ５３は、タイミング発生器（ＴＧ）５４、ＣＣＤドライバ５５によって走査駆動され、一定周期毎に結像した光像に対応する光電変換出力を１画面分出力する。
【００６４】
この光電変換出力は、ＡＧＣ／ＳＨ（Ａｕｔｏ  Ｇａｉｎ  Ｃｏｎｔｒｏｌ／Ｓａｍｐｌｅ  Ｈｏｌｄ）回路５６において、アナログ値の信号の状態でＲＧＢの各原色成分毎にその時点に設定されているＩＳＯ感度に応じて自動ゲイン調整された後にサンプルホールドされ、Ａ／Ｄ変換器５７に送られる。
【００６５】
Ａ／Ｄ変換器５７では、アナログの画像データをデジタルデータに変換し、カラープロセス回路５８へ出力する。
【００６６】
カラープロセス回路５８は、デジタルの画像データに対して画素補間処理及びγ補正処理を含むカラープロセス処理を行ない、マトリックス変換によりデジタル値の輝度色差系の画像データＹＵＶを生成した後にＤＭＡ（Ｄｉｒｅｃｔ  Ｍｅｍｏｒｙ  Ａｃｃｅｓｓ）コントローラ５９に出力する。
【００６７】
ＤＭＡコントローラ５９は、カラープロセス回路５８の出力する画像データＹＵＶを、同じくカラープロセス回路５８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）６０を介してバッファメモリとして使用されるＤＲＡＭ６１にＤＭＡ転送を行なう。
【００６８】
制御部６２は、ＣＰＵと、ワークメモリとして使用される主記憶メモリ等から構成されるもので、後述する再生動作を含む動作プログラムやデータ等を固定的に記憶した不揮発性メモリ６３から必要なプログラム等を読出し、該主記憶メモリに適宜必要なプログラムやデータを一時的に展開して書込みながら、このデジタルカメラ５０全体の制御動作を司る。
【００６９】
しかして制御部６２は、上記画像データのＤＲＡＭ６１へのＤＭＡ転送終了後に、この画像データをＤＲＡＭインタフェース６０を介してＤＲＡＭ２１より読出し、表示コントローラ６４を介してＶＲＡＭ６５に書込む。
【００７０】
表示コントローラ６４は、上記画像データをＶＲＡＭ６５より定期的に読出して表示部６６に出力する。
【００７１】
この表示部６６は、デジタルカメラ５０の筐体背面に配設された例えばバックライト付きの対角３インチ程度のサイズを有するカラー液晶パネルとその駆動回路とで構成されるもので、撮影モード時には電子ファインダとして機能し、表示コントローラ６４からの画像データ等に基づいた表示を行なうことで、その時点でＣＣＤ５３から取込んでいる画像等をリアルタイムにモニタ表示する一方で、再生モード時には選択した画像等を再生表示する。
【００７２】
このように表示部６６にその時点での被写体の画像をモニタ画像としてリアルタイムに表示している、所謂スルー画像の表示状態で、静止画撮影を行ないたいタイミングでキー入力部６７の一部を構成するシャッタキーを操作すると、トリガ信号を発生する。
【００７３】
制御部６２は、このトリガ信号に応じてその時点でＣＣＤ５３から取込んでいる１画面分の輝度及び色差信号のＤＲＡＭ２１へのＤＭＡ転送を取り止め、あらためて適正な露出条件に従ったシャッタ速度で図示しないメカニカルシャッタ及び上記ＣＣＤ５３を駆動して１画面分の輝度及び色差信号を得てＤＲＡＭ６１へ転送し、その後にこの経路を停止し、記憶保存の状態に遷移する。
【００７４】
この記憶保存の状態では、制御部６２がＤＲＡＭ６１に書込まれている１フレーム分の画像データＹＵＶをＤＲＡＭインタフェース６０を介してＹ，Ｕ，Ｖの各コンポーネント毎に縦８画素×横８画素の基本ブロックと呼称される単位で読出して画像圧縮／伸長回路６８に書込み、この画像圧縮／伸長回路６８で所定の画像フォーマット、例えばＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）に従ったＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等のデータ圧縮処理により符号化する。
【００７５】
そして、得た符号データを１画像分のデータファイルとして該画像圧縮／伸長回路６８から読出し、このデジタルカメラ５０に着脱自在に装着される記録媒体であるメモリカード６９に書込む。
【００７６】
そして、１フレーム分の輝度及び色差信号の圧縮処理とメモリカード６９への全圧縮データの書込み終了に伴なって、制御部６２はＣＣＤ５３からＤＲＡＭ６１への経路を再び起動する。
【００７７】
また、上記制御部６２にはさらに、上述したキー入力部６７と、音声処理部７０、フラッシュ駆動部７１、及びＵＳＢインタフェース７２が接続されている。
【００７８】
キー入力部６７は、上記シャッタキーの他に、電源キー、ズームキー、撮影モードキー、再生モードキー、カーソルキー、セットキー、メニューキー、及びシーンプログラムキー等を有するもので、それらの操作に伴うキー入力信号は直接制御部６２へ送信される。
【００７９】
音声処理部７０は、ＰＣＭ音源等の音源回路を備え、音声の録音時にはこのデジタルカメラ５０の筐体前面に配設されたマイクロホン部７３より入力された音声信号をデジタル化し、所定のデータファイル形式、例えばＭＰ３（Ｍｏｖｉｎｇ  Ｐｉｃｔｕｒｅ  ｃｏｄｉｎｇ  Ｅｘｐｅｒｔｓ  Ｇｒｏｕｐ−１  ａｕｄｉｏ  ｌａｙｅｒ  ３）規格にしたがってデータ圧縮して音声データファイルを作成し、上記メモリカード６９へ送出する。
【００８０】
一方、音声処理部７０は、音声の再生時にメモリカード６９から読出されてきた音声データファイルの圧縮を解いてアナログ化し、上記表示部６６と同じくデジタルカメラ５０の背面側に設けられるスピーカ部７４を駆動して、拡声放音させる。
【００８１】
フラッシュ駆動部７１は、静止画像撮影時に図示しないフラッシュ駆動用の大容量コンデンサを充電した上で、制御部６２からの制御に基づいてキセノン放電管等で構成されるフラッシュ発光部７５を撮影タイミングに同期して閃光駆動させる。
【００８２】
しかるに、撮影モード時に静止画像ではなく動画像の撮影が選択されている場合には、１回目のシャッタキーが操作された時点で、上述した静止画データを取得して画像圧縮／伸長回路６８でデータ圧縮し、メモリカード６９へ記憶するという一連の動作を適宜フレームレート、例えば３０［フレーム／秒］で連続して実行するものとして開始し、該シャッタキーが２回目に操作されるか、または所定の制限時間、例えば３０秒が経過した時点でそれら一連の静止画データファイルを一括してモーションＪＰＥＧのデータファイル（ＡＶＩファイル）として設定し直す。
【００８３】
また、再生モード時には、制御部６２がメモリカード６９に記憶されている画像データを選択的に読出し、画像圧縮／伸長回路６８で撮影モード時にデータ圧縮した手順と全く逆の手順で圧縮されている画像データを伸長し、伸長した画像データをＤＲＡＭインタフェース６０を介しＤＲＡＭ６１に保持させた上で、このＤＲＡＭ６１の保持内容を表示コントローラ６４を介してＶＲＡＭ６５に記憶させ、このＶＲＡＭ６５より定期的に画像データを読出してビデオ信号を発生し、上記表示部６６で再生させる。
【００８４】
選択した画像データが静止画像ではなく動画像であった場合、選択した動画像ファイルを構成する個々の静止画データの再生を所定のフレームレートで時間的に連続して実行し、最後の静止画データの再生を終了した時点で、次に再生の指示がなされるまで先頭に位置する静止画データのみを用いて再生表示する。
【００８５】
ＵＳＢインタフェース３２は、ＵＳＢ（Ｕｎｉｖｅｒｓａｌ  Ｓｅｒｉａｌ  Ｂｕｓ）規格に準じてＵＳＢ端子７６に接続されるパーソナルコンピュータやプリンタ装置等、各種外部機器との送受信を行なう。
【００８６】
次に上記実施の形態の動作について説明する。  
このデジタルカメラ５０の記録媒体であるメモリカード６９には、撮影動作により複数の動画像ファイルが記録されているものとする。その場合、個々の動画像ファイルを構成する画像データの数は、その画像データ毎に異なる。
【００８７】
なお、メモリカード６９に記録されている複数の動画像ファイルから一覧画像を作成する「動画一覧再生」動作を行なう場合の基本的な処理の流れは、動画像ファイルを構成する各静止画像ファイル毎にすでに対応するサムネイルが作成されていること、及び、投影動作に代わって表示部６６での表示を行なうことを除けば上記図２に示した内容と基本的に同様であるので、その説明については省略するものとする。
【００８８】
しかして、制御部６２が作成する一覧画像の内容が上記図３で示した内容とほぼ同様であるものとする。制御部６２は、このように作成された一覧画像の画像データをＤＲＡＭ６１に記憶させた上で、その一部、当初は図中に破線の矩形αで示すように先頭部分を選択して読出させ、表示部６６で表示させる。
【００８９】
図９は、上記図３の一覧画像中、当初の矩形範囲αからβに移動させた場合の、実際のスクリーンＳＣへの投影画面を例示するものである。同図に示すように、仮の選択状態を示すフレームＦＲにより画面中の１つのサムネイルが区分表示される。
【００９０】
しかして、上記図９でも示したように仮に選択されているサムネイルを選択するキー操作がなされると、選択されたサムネイルに該当する本体の画像データをメモリカード６９から読出し、上記一覧画像に代えてＤＲＡＭ６１に展開して記憶させることで、選択されたサムネイルに対応する画像データのみを画面全面にわたって表示部６６で通常の再生動作として表示させることができる。
【００９１】
このように、上記実施の形態でも、横軸を一連の画像ファイル中における開始から終了に至る経過行程、縦軸を例えば日時の順序で配列した個々の画像ファイルとした２次元座標平面上に、複数の画像ファイル中の複数の縮小画像であるサムネイルを展開した一覧画像を生成してその一部を表示部６６で表示させるものとした。
【００９２】
これにより、それぞれ構成する画像データの数が異なる複数の画像ファイルに対し、一連の画像ファイル中での経過行程を揃えた状態での一覧画像を生成して投影するものとしたので、例えば画像ファイルの「中頃」で見た覚えのある画像データを一覧画像中から容易に検索することができるなど、その画像ファイル中のおおよその経過行程を把握しておくことで一度再生表示した画像を一連の画像中からより迅速にサーチすることが可能となる。
【００９３】
なお、上記第１の実施の形態はプロジェクタ装置に適用した場合について、第２の実施の形態はデジタルカメラに適用した場合について説明したが、本発明はこれに限るものではなく、時間的に連続した複数の静止画像からなる画像ファイルを投影、表示等出力するような装置や、その装置に採用される制御プログラムなど、本発明はいずれにも適用することができる。
【００９４】
その他、本発明は上述した実施の形態に限定されるものではなく、実施段階ではその要旨を逸脱しない範囲で種々に変形することが可能である。また、上述した実施の形態で実行される機能は可能な限り適宜組合わせて実施しても良い。上述した実施の形態には種々の段階が含まれており、開示される複数の構成要件により適宜の組合せにより種々の発明が抽出され得る。例えば、実施の形態に示される全構成要件からいくつかの構成要件が削除されても、効果が得られるのであれば、この構成要件が削除された構成が発明として抽出され得る。
【図面の簡単な説明】
【００９５】
【図１】本発明の第１の実施の形態に係るプロジェクタ装置の機能構成を示すブロック図。
【図２】同実施の形態に係る一覧画像投影時の処理内容を示すフローチャート。
【図３】同実施の形態に係るビデオＲＡＭに展開して記憶される一覧画像全体の構成を例示する図。
【図４】同実施の形態に係る図３の一覧画像中から選択され、投影される画面を例示する図。
【図５】同実施の形態に係るビデオＲＡＭに展開して記憶される一覧画像全体の他の構成を例示する図。
【図６】同実施の形態に係るビデオＲＡＭに展開して記憶される一覧画像全体の他の構成を例示する図。
【図７】同実施の形態に係るビデオＲＡＭに展開して記憶される一覧画像全体の他の構成を例示する図。
【図８】本発明の第２の実施の形態に係るデジタルカメラの機能構成を示すブロック図。
【図９】同実施の形態に係る一覧画像中から選択され、表示される画面を例示する図。
【符号の説明】
【００９６】
１０…プロジェクタ装置、１１…入出力コネクタ部、１２…入出力インタフェース（Ｉ／Ｆ）、１３…画像変換部、１４…投影エンコーダ、１５…ビデオＲＡＭ、１６…投影駆動部、１７…マイクロミラー素子（ＳＯＭ）、１８…リフレクタ、１９…光源ランプ、２０…カラーホイール、２１…インテグレータ、２２…ミラー、２３…投影レンズ、２４…モータ（Ｍ）、２５…投影光処理部、２６…制御部、２７…プログラムメモリ、２８…画像記憶部、２９…測距処理部、３０…音声処理部、３１…測距センサ、３２…スピーカ、３３…キースイッチ部、３４…Ｉｒ受光部、５０…デジタルカメラ、５１…モータ（Ｍ）、５２…撮影レンズ光学系、５３…ＣＣＤ、５４…タイミング発生器（ＴＧ）、５５…ＣＣＤドライバ、５６…ＡＧＣ／ＳＨ回路、５７…Ａ／Ｄ変換器、５８…カラープロセス回路、５９…ＤＭＡコントローラ、６０…ＤＲＡＭインタフェース（Ｉ／Ｆ）、６１…ＤＲＡＭ、６２…制御部、６３…不揮発性メモリ、６４…表示コントローラ、６５…ＶＲＡＭ、６６…表示部、６７…キー入力部、６８…画像圧縮／伸長回路、６９…メモリカード、７０…音声処理部、７１…フラッシュ駆動部、７２…ＵＳＢインタフェース、７３…マイクロホン部、７４…スピーカ部、７５…フラッシュ発光部、７６…ＵＳＢ端子、ＦＲ…フレーム、ＳＢ…システムバス、ＳＣ…スクリーン。
【図１】
0005597907.tif 000002
【図２】
0005597907.tif 000003
【図３】
0005597907.tif 000004
【図４】
0005597907.tif 000005
【図５】
0005597907.tif 000006
【図６】
0005597907.tif 000007
【図７】
0005597907.tif 000008
【図８】
0005597907.tif 000009
【図９】
0005597907.tif 000010